(57)【要約】      （修正有）【課題】少なくとも子供が食事を楽しめるようにするため、惣菜の表面に簡単且つ容易にイラストや文字等を表示することができ、また、所望の色をも着色することができる食品用プリント機具を提供する。【解決手段】プリント機具１を、食品をセットするセット台２と、セット台２の上方に位置して食用可能な着色料を塗布するメッシュ部材３２からなるテーブル３と、該テーブル３を下方に移動させ且つ急停止させるためのハンドル５、ストッパー６、スプリング７、ガイド８等からなる移動停止手段とから構成する。これにより、テーブル３のメッシュ部材３２上に塗布された着色料９が、テーブル３が下方へ移動され且つ急停止されることにより、慣性によってメッシュ部材３２の通孔３３から下方に飛び出し、春巻き等の表面に付着しされ、任意の表示が形成される。すなわち、イラストや文字等が表示される。【選択図】図１
0003105853.tif 000002
【実用新案登録請求の範囲】
【請求項１】
食品をセットするセット台と、該セット台の上方に位置して食用可能な着色料をセットするメッシュ部材からなるテーブルと、該テーブルを任意の距離下方に移動させ且つ急停止させるための移動停止手段とから構成されていることを特徴とする食品用プリント機具
【請求項２】
前記食品が、餃子または春巻きまたはシュウマイであることを特徴とする請求項１の食品用プリント機具
【請求項３】
前記食品は、少なくとも着色面が略平坦に形成されているものが使用されることを特徴とする請求項２の食品用プリント機具
【請求項４】
前記セット台は、食品を収容した容器体をセットできるようになっていることを特徴とする請求項１の食品用プリント機具
【請求項５】
前記メッシュ部材の上に、任意のイラスト／文字／模様等が抜かれたマスキング部材が着脱自在にセットできるようになっていることを特徴とする請求項１の食品用プリント機具
【考案の詳細な説明】
【技術分野】
【０００１】
本考案は、食品の表面に所望のイラストや文字等を表示する食品用のプリント機具に関するものである。
【背景技術】
【０００２】
従来、イラストや文字等を表示した食べ物としては、饅頭やクッキーまたパン等の菓子類が知られており、このものへの表示は、焼印等によって表面を焦したり、また、完成した菓子本体の表面に食用可能な素材から作った別食材や着色料を塗りイラスト等の絵付や文字等を表示している。また、このような菓子の表示は綺麗なので、特に小さな子供が好んで食している。
そして、この菓子類への表示は、大手メーカー等ではオートメーション化によって自動的に表示されるが、町の菓子工房等の小さな店では、人の手によって一つ一つ書き込まれるのが普通である。
【考案の開示】
【考案が解決しようとする課題】
【０００３】
上述の菓子類と同じ食品でも、惣菜等の食品においてはイラストや文字等を表示したものは無いに等しく、せいぜい焼印やバーナー等によって食品表面を焦して所望の模様を付けるに留まっている。また、惣菜等の食品は上述の菓子類と違い、ご飯と共に食され日々の栄養補給をするための重要な食品であるため、子供には菓子と同じように食してもらいたい食品の一つである。
【０００４】
しかして、この惣菜等の食品には菓子類のようなイラストや文字等の表示がないために子供の興味を引くことができず、栄養補給となる重要な食品であるにもかかわらず子供はなかなか食してくれないのである。
従って、本考案は上述した問題点に鑑みてなされたもので、惣菜にイラストや文字等の表示を行い、少なくとも子供が食事を楽しめるようにするため、惣菜の表面に簡単且つ容易にイラストや文字等を表示することができ、また、所望の色をも着色することができる食品用プリント機具を提供することを目的とするものである。
【課題を解決するための手段】
【０００５】
本考案の要旨とするところは、食品をセットするセット台と、該セット台の上方に位置して食用可能な着色料をセットするメッシュ部材からなるテーブルと、該テーブルを任意の距離下方に移動させ且つ急停止させるための移動停止手段とから構成されていることを特徴とする食品用プリント機具である。
【０００６】
本考案の食品用プリント機具を詳しく説明すると、惣菜、特に餃子や春巻きそしてシュウマイ等の表面に、乗り物や漫画のヒーロー等の任意のイラストを描いたり、また、名前や祝いの文句等を書くことができるプリント機具である。
惣菜は、上述の餃子／春巻き／シュウマイは勿論のこと、プリント可能なもの全てを含んでいる。プリントは、イラストや文字等を表示することと共に、単に色の着色、また、模様の表示なども含むものである。
【０００７】
惣菜表面の形状も惣菜特有の形状になっているが、イラストや文字等を表示する場合は、表面はなるべく平坦にするのがよい。その平坦にする方法も何でもよく、表面を潰したり、凸凹を削ぎ落とすことによるものでもよい。また、表示面を調理する際の焼き面としてもよい。そして、単に色の着色や模様等を表示する場合は、惣菜の表面を平坦にすることなくその形状のままで行ってもよい。
イラストや文字等を表示する側の面は特に限定するものではなく、皿に盛った際に見える側に表示してもよいが、承知で底面にして、抽選等の余興に用入ることができるようにしてもよい。
【０００８】
そして、食品をセットするセット台は、後述のテーブルの下方に配置されており、このセット台にイラストや文字等を表示する食品が置かれる。
セット台は、セットする食品によって任意の形状に構成すればよく、少なくともイラストや文字等を表示する面が上方に位置するテーブルと対向するように且つ食品を安定よく置けるように形成しなければならない。そのセット台も、食品の形態等を考慮して複数個をセットできるようにしてもよい。また、食品を入れた容器（バット等）をそのままセットできるようにしてもよい。
【０００９】
テーブルとは、食用可能な着色料をセットするためのもので、少なくともメッシュ部材が前述したセット台の上方に位置するように設けられている。
そして、食用可能な着色料が任意の手段、例えば、ローラー等を用いていてメッシュ部材上に塗られる。また、食用可能な着色料とは、普通に用いられている食品用の着色料（粉末体／液体等）を塗布可能な状態（液状等）にしたものであったり、さらには、液状やクリーム状の食材や調味料が有する色を、着色料として用いてもよい。例えば、トマトケチャップの赤、マヨネーズの黄色等である。
【００１０】
メッシュ部材は、着色料をセットすなわち塗布するところであり、メッシュの目の大きさも用いる着色料の形態によって特に限定するものではないが、少なくとも、メッシュ上に塗布した着色料が自然の状態でメッシュを抜けて下方に垂れ落ちることがないものでなければならない。
また、メッシュ部材とは、任意の大きさの開口を有する孔が無数に形成された部材を指すものである。その部材は略平坦なものがよい。勿論、素材や部材厚等も、本発明に適用可能であれば何でもよい。
【００１１】
メッシュ部材の目は、食品に表示するイラストや文字そして模様の形状によって任意の部位をマスキングする。メッシュ部材は、テーブルまたはテーブルの枠体等と着脱できるようにしてもよい。
また、メッシュに直接マスキングするのではなく、メッシュの上に任意のイラストや文字そして模様等が抜かれたマスキング部材を着脱自在にセットできるようにしてもよい。この形態は、色を何色も着色する場合に適する。
【００１２】
移動停止手段とは、テーブルをセット台の上方に任意の距離を置いて保持させておき、移動操作によってその下方すなわち食品のセット台方向に移動（落下）させることができ、且つその移動するテーブルを急に止めることができるように構成されているものである。
その構造は、上述の動作をすることができれるものであれば特にその構造を限定するものではなく、如何なる構造のものであってもよい。
【００１３】
その一例としては、移動方向が案内されたテーブルをバネ部材等の弾発手段によってセット台の上方に任意の距離を置いて保持させると共に、テーブルの任意の部位にテーブルを下方移動させるためのレバーを設け、そして、下方移動するテーブルをセット台の食品に近接した位置でその移動を停止させるためのストッパーを設けるようにしてもよい。
【００１４】
そして、本食品用プリント機具はその動作の全てを手動で行っても、また、その一部または全部を任意の駆動手段によって自動で行ってもよい。
また、少なくとも手動レバー操作を手動で行う場合は、急停止の際の衝撃を緩和させるための任意の緩衝手段を設けるのが望ましい。
【００１５】
従って、本考案の食品用プリント機具は以上のように構成されているので、例えば、春巻きの表面にイラストを表示する場合は、セット台にイラストを表示する面を上向きにして春巻きを置く。
次に、所望のイラストが表示されるメッシュ部材をテーブルにセットすると共に、そのメッシュ上に所望の色の着色料をローラー等を用いて塗布し、そして、ハンドル操作によってテーブルを下方に素早く移動させる。
【００１６】
ハンドル操作により、テーブルは下方に向かって移動し、また、ストッパーによってセット台の春巻きの表面に近接して急停止する。
そして、テーブルの急停止により、テーブルのメッシュ上に塗布された着色料は慣性によってメッシュの目を通過してその下方に飛び出し、春巻きの表面に衝突し付着する。
【考案の効果】
【００１７】
本考案の食品用プリント機具は以上のように構成されているので、惣菜の表面に簡単且つ容易にイラストや文字そして模様等を表示することができる。
また、テーブルのメッシュ部材が着脱できるものや、メッシュ上にマスキング部材を着脱できるものは、メッシュ部材またマスキング部材を交換していくことによってイラストや文字そして模様等に複数の色を着色することができ、さらには、このマスキング部材の交換によって種々のイラストや文字そして模様等を表示することができる。
【００１８】
そして、イラストが乗り物や漫画のヒーローであると共にそのイラストに色が付いていることによって子供の興味を大いに引くことができ、子供は、惣菜を楽しみながら食すことができる。これにより、発育段階の子供や未成年者の栄養の摂取に役立つ。また、色や図柄により含有するビタミン等を識別できるようにすれば、必要な栄養を含むものを目で容易に確認でき、必要な栄養の補給に役立たせることを容易にすることができる。そして、名前や祝いの文句が表示されることにより、子供に限らず大人までもが楽しい気分になることができ、パーティー等の席を大いに盛り上げることができる。すなわち、色を付けることで気持ちを和らげる効果がある。
【００１９】
さらには、本発明のプリント機具は簡単な構造であるので安価に製造することができる。従って、町の小さな惣菜店や飲食店でも容易に導入することができ、また、一般の家庭でも購入することができ、町内のイベントや宴会そして家庭のパーティー等で活用することができる。
【考案を実施するための最良の形態】
【００２０】
本考案の食品用プリント機具を以下図面に従って説明すると、図１は、本考案に係る食品用プリント機具の斜視図であり、１はプリント機具、２は食品をセットするためのセット台、２１は載置部である。３はテーブルで、着色料９がそのメッシュ部材上に塗布される。３１はメッシュ部材を保持する枠である。５はテーブル３を下方に押し下げるためのハンドル、６は押し下げられたテーブル３の移動を停止させるストッパー、６１はストッパー６の位置を調節する調節孔、７はテーブル３を上方に保持するためのスプリング、８はテーブル３の下方移動を案内するガイドである。
【００２１】
図２は、セット台の一例を示す斜視図であり、本図のセット台２は、食品をセットする載置部２１を深皿状にしたもので、載置部２１に置く際に不安定なものに適する。また、不安定な形状の食品を置く際、載置部２１に粒状等の部材を入れておくことにより、更に食品を安定してセットすることができる。
【００２２】
図３は、テーブルの一例を示す断面図であり、本図は、テーブル３の枠３１にメッシュ部材３２が固定的に取り付けられたものを示すものである。
４はメッシュ部材３２の任意の部位に取り付けられ、通孔３３からの着色料９の通過を阻止するためのマスキング部材、４１はマスキング部材４に形成された抜孔で、この部位は通孔３３からの着色料９の通過を許している。
【００２３】
図４および図５は、他のテーブルの一例を示す断面図であり、図４は、メッシュ部材３２にマスキング部材４が固定的に設けられているもので、このマスキグ部材４が一体化されたメッシュ部材３２の交換により、所望のイラストや文字そして模様等の形状を食品に表示できる。３４はマスキング部材４が一体化されたメッシュ部材３２を嵌める嵌合部である。
【００２４】
図５は、テーブル３の枠３１にメッシュ部材３２が固定的に取り付け、マスキング部材４を着脱自在にしたもので、マスキグ部材４の交換により、所望のイラストや文字そして模様の形状を食品に表示できる。また、マスクＡ４２、マスクＢ４３、マスクＣ４４のような抜孔４１の位置が違うマスキグ部材４を準に交換していことにより、イラストや文字そして模様等に色を何色も着色することができる。
【００２５】
図６は、プリント動作の流れを示す図であり、（ａ）図から（ｅ）図に向かって動作が進行する。また、本図は食品を春巻きとして説明している。
先ず、メッシュ部材３２にマスキング部材４がセットされた所望のテーブル３が用意され（ａ）図、メッシュ部材３２上にローラー１０によって着色料９が塗布される（ｂ）図。
次に、テーブル３が素早く下方（矢印方向）に移動され且つ停止される（ｃ）図。
これにより、メッシュ部材３２上の着色料９は、慣性によってマスキング部材４によるマスクのない部位（抜孔）から、メッシュ部材３２の通孔３３を通過してテーブル３の下方にセットされた春巻き１１に向かって飛んで行く（ｄ）図。
そして、春巻き１１の表面に衝突して付着する（ｅ）図。これによってイラスト等が春巻き１１の表面にプリントされる。
【００２６】
図７は、イラスト等が表示された食品の一例を示す斜視図であり、（ａ）図は、春巻き１１にイラスト１４を表示したものである。（ｂ）図は、餃子１２に文字１５を表示したものである。（ｃ）図は、シュウマイ１３に数字１６を表示したものである。
【図面の簡単な説明】
【００２７】
【図１】本考案に係る食品用プリント機具の斜視図
【図２】セット台の一例を示す斜視図
【図３】テーブルの一例を示す断面図
【図４】他のテーブルの一例を示す断面図
【図５】他のテーブルの一例を示す断面図
【図６】プリント動作の流れを示す図
【図７】イラスト等が表示された食品の一例を示す斜視図
【符号の説明】
【００２８】
１−プリント機具，２−セット台，２１−載置部，３−テーブル，３１−枠，３２−メッシュ部材，３３−通孔，３４−嵌合部，４−マスキング部材，４１−抜孔，４２−マスクＡ，４３−マスクＢ，４４−マスクＣ，５−ハンドル，６−ストッパー，６１−調節孔，７−スプリング，８−ガイド，９−着色料，１０−ローラー，１１−春巻き，１２−餃子，１３−シュウマイ，１４−イラスト，１５−文字，１６−数字
【図１】
0003105853.tif 000003
【図２】
0003105853.tif 000004
【図３】
0003105853.tif 000005
【図４】
0003105853.tif 000006
【図５】
0003105853.tif 000007
【図６】
0003105853.tif 000008
【図７】
0003105853.tif 000009